(57)【要約】【課題】記憶すべき識別情報の量を減らすことができる入退室管理システムを提供する。【解決手段】入退室管理システムは、複数の領域の出入口の各々に設けられた複数の読取装置と、複数の読取装置の各々に対応し、対応した読取装置が読み取った識別情報と自らが記憶した識別情報との照合結果に基づいて、対応した出入口の扉の施解錠を制御する複数のローカルコントローラと、前記複数の読取装置のうちのいずれかの読取装置が識別情報を読み取った際に当該読取装置に対応したローカルコントローラが当該識別情報を認証した場合に、当該識別情報に対応した通行経路において当該読取装置に対応した出入口の直後の出入口に対応した読取装置に対応したローカルコントローラに当該識別情報を記憶させる識別情報管理装置と、を備えた。【選択図】図３
2017004189.tif 000002
【特許請求の範囲】
【請求項１】
複数の領域の出入口の各々に設けられた複数の読取装置と、
複数の読取装置の各々に対応し、対応した読取装置が読み取った識別情報と自らが記憶した識別情報との照合結果に基づいて、対応した出入口の扉の施解錠を制御する複数のローカルコントローラと、
前記複数の読取装置のうちのいずれかの読取装置が識別情報を読み取った際に当該読取装置に対応したローカルコントローラが当該識別情報を認証した場合に、当該識別情報に対応した通行経路において当該読取装置に対応した出入口の直後の出入口に対応した読取装置に対応したローカルコントローラに当該識別情報を記憶させる識別情報管理装置と、
を備えた入退室管理システム。
【請求項２】
前記識別情報管理装置は、前記複数の読取装置のうちのいずれかの読取装置が識別情報を読み取った際に当該読取装置に対応したローカルコントローラが当該識別情報を認証した場合に、当該識別情報に対応した通行経路において当該読取装置に対応した出入口の直前の出入口に対応した読取装置に対応したローカルコントローラに当該識別情報を削除させる請求項１に記載の入退室管理システム。
【請求項３】
前記複数の読取装置は、
第１領域の第１出入口に設けられた第１読取装置と、
前記第１領域と第２領域との間の第２出入口に設けられた第２読取装置と、
前記第２領域と第３領域との間の第３出入口に設けられた第３読取装置と、
を備え、
前記複数のローカルコントローラは、
前記第１読取装置に対応した第１ローカルコントローラと、
前記第２読取装置に対応した第２ローカルコントローラと、
前記第３読取装置に対応した第３ローカルコントローラと、
を備え、
前記識別情報管理装置は、前記第１読取装置が前記第１出入口の外側からの識別情報を読み取った際に、当該識別情報に対応した通行経路が前記第１領域の前記第１出入口の外側から前記第１領域と前記第２領域を通過して前記第３領域に進む経路の場合は、前記第１ローカルコントローラが当該識別情報を認証した際に前記第２ローカルコントローラに当該識別情報を記憶させ、前記第２読取装置が前記第１領域の前記第２出入口の側からの識別情報を読み取った際に前記第３ローカルコントローラに当該識別情報を記憶させ、前記第１ローカルコントローラに当該識別情報を削除させる請求項２に記載の入退室管理システム。
【請求項４】
前記識別情報管理装置は、前記第３読取装置が前記第２領域の前記第３出入口の側からの識別情報を読み取った際に、前記第２ローカルコントローラに当該識別情報を削除させる請求項３に記載の入退室管理システム。
【請求項５】
前記識別情報管理装置は、前記第３読取装置が前記第３領域の前記第３出入口の側からの識別情報を読み取った際に、当該識別情報に対応した通行経路が前記第３領域から前記第２領域に戻る経路の場合は、前記第２ローカルコントローラに当該識別情報を記憶させる請求項４に記載の入退室管理システム。
【請求項６】
前記識別情報管理装置は、前記第２読取装置が前記第２領域の前記第２出入口の側からの識別情報を読み取った際に、当該識別情報に対応した通行経路が前記第２領域から前記第１領域に戻る経路の場合は、前記第１ローカルコントローラに当該識別情報を記憶させ、前記第３ローカルコントローラに当該識別情報を削除させる請求項５に記載の入退室管理システム。
【請求項７】
前記識別情報管理装置は、前記第１読取装置が前記第１領域の前記第１出入口の側からの識別情報を読み取った際に、当該識別情報に対応した通行経路が前記第１領域から前記第１出入口の外側に戻る経路の場合は、前記第２ローカルコントローラに当該識別情報を削除させる請求項６に記載の入退室管理システム。
【発明の詳細な説明】
【技術分野】
【０００１】
この発明は、入退室管理システムに関する。
【背景技術】
【０００２】
特許文献１は、入退室管理システムを開示する。当該入退室管理システムは、読取装置２が読み取った識別情報と記憶された識別情報との照合結果に基づいて入退室を管理する。
【先行技術文献】
【特許文献】
【０００３】
【特許文献１】特開２０１５−０１１４５１号公報
【発明の概要】
【発明が解決しようとする課題】
【０００４】
当該入退室管理システムは、利用者の数に合わせて複数の識別情報を記憶する。このため、利用者の数の増えると、記憶すべき識別情報の量も増える。
【０００５】
この発明は、上述の課題を解決するためになされた。この発明の目的は、記憶すべき識別情報の量を減らすことができる入退室管理システムを提供することである。
【課題を解決するための手段】
【０００６】
この発明に係る入退室管理システムは、複数の領域の出入口の各々に設けられた複数の読取装置と、複数の読取装置の各々に対応し、対応した読取装置が読み取った識別情報と自らが記憶した識別情報との照合結果に基づいて、対応した出入口の扉の施解錠を制御する複数のローカルコントローラと、前記複数の読取装置のうちのいずれかの読取装置が識別情報を読み取った際に当該読取装置に対応したローカルコントローラが当該識別情報を認証した場合に、当該識別情報に対応した通行経路において当該読取装置に対応した出入口の直後の出入口に対応した読取装置に対応したローカルコントローラに当該識別情報を記憶させる識別情報管理装置と、を備えた。
【発明の効果】
【０００７】
この発明によれば、識別情報管理装置は、当該識別情報に対応した通行経路において当該読取装置に対応した出入口の直後の出入口に対応した読取装置に対応したローカルコントローラに当該識別情報を記憶させる。このため、ローカルコントローラは、利用者が通行する可能性があるタイミングで必要な識別情報を記憶する。その結果、記憶すべき識別情報の量を減らすことができる。
【図面の簡単な説明】
【０００８】
【図１】この発明の実施の形態１における入退室管理システムの構成図である。
【図２】この発明の実施の形態１における入退室管理システムのローカルコントローラとセンタ装置と識別情報管理装置とのハードウェア構成図である。
【図３】この発明の実施の形態１における入退室管理システムが適用された入退室管理の具体例を説明するための図である。
【図４】この発明の実施の形態１における入退室管理システムの識別情報管理装置の動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における入退室管理システムの構成図である。
【００１１】
図１において、図示しない入室の管理領域は、図示しない複数の領域に区切られる。図示しない複数の出入口のうちのひとつは、管理領域の通用口となる。他の出入口は、隣接した領域の間に設けられる。
【００１２】
複数の扉１の各々は、複数の出入口の各々に設けられる。図示しない電子錠の各々は、扉１の各々に設けられる。入退室管理システムは、複数の読取装置２と複数のローカルコントローラ３とセンタ装置４と識別情報管理装置５とを備える。
【００１３】
複数の読取装置２の各々は、複数の出入口の各々に設けられる。例えば、読取装置２は、カードリーダからなる。例えば、読取装置２は、生体認証装置からなる。読取装置２がカードリーダの場合、読取装置２は、カードからＩＤ情報等の個人情報を識別情報として読み取る。読取装置２が生体認証装置の場合、読取装置２は、利用者から指紋等の生体認証情報を識別情報として読み取る。
【００１４】
複数のローカルコントローラ３の各々は、複数の読取装置２の各々に対応する。複数のローカルコントローラ３の各々は、複数の扉１に対応した読取装置２に対応する場合もある。複数のローカルコントローラ３の各々は、対応した読取装置２が読み取った識別情報と自らが記憶した識別情報との照合結果に基づいて、対応した出入口の扉１の施解錠を制御する。
【００１５】
具体的には、複数のローカルコントローラ３の各々は、対応した読取装置２が読み取った識別情報と自らが記憶した識別情報とが一致した場合に識別情報を認証する。この際、複数のローカルコントローラ３の各々は、対応した出入口の扉１を解錠する。複数のローカルコントローラ３の各々は、対応した読取装置２が読み取った識別情報と自らが記憶した識別情報とが一致しない場合、識別情報を認証しない。この際、複数のローカルコントローラ３の各々は、対応した出入口の扉１の施錠を維持する。
【００１６】
センタ装置４は、複数の識別情報と通行経路情報とを対応付けて記憶する。センタ装置４は、複数の識別情報と通行経路情報とを識別情報管理装置５に記憶させる。
【００１７】
読取装置２が識別情報を読み取った際に当該読取装置２に対応したローカルコントローラ３が当該識別情報を認証した場合、識別情報管理装置５は、当該読取装置２に対応した出入口の直後の出入口に対応した読取装置２に対応したローカルコントローラ３に当該識別情報を記憶させる。
【００１８】
読取装置２が識別情報を読み取った際に当該読取装置２に対応したローカルコントローラ３が当該識別情報を認証した場合、識別情報管理装置５は、当該読取装置２に対応した出入口の直前の出入口に対応した読取装置２に対応したローカルコントローラ３に当該識別情報を削除させる。
【００１９】
次に、図２を用いて、ローカルコントローラ３とセンタ装置４と識別情報管理装置５との例を説明する。
図２はこの発明の実施の形態１における入退室管理システムのローカルコントローラとセンタ装置と識別情報管理装置とのハードウェア構成図である。
【００２０】
ローカルコントローラ３（図２おいては図示せず）の各機能は、第１処理回路６ａにより実現される。第１処理回路６ａは、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００２１】
第１処理回路６ａが専用のハードウェアである場合、第１処理回路６ａは、例えば、単一回路、複合回路、プログラム化したプロセッサ、並列プログラム化したプロセッサ、ＡＳＩＣ、ＦＰＧＡ、またはこれらを組み合わせたもので構成される。ローカルコントローラ３の各機能それぞれを第１処理回路６ａで実現してもよいし、ローカルコントローラ３の各機能をまとめて第１処理回路６ａで実現してもよい。
【００２２】
第１処理回路６ａが第１プロセッサ７ａの場合、ローカルコントローラ３の各機能は、ソフトウェア、ファームウェア、またはソフトウェアとファームウェアとの組み合わせにより実現される。ソフトウェアおよびファームウェアはプログラムとして記述された状態で第１メモリ８ａに格納される。第１プロセッサ７ａは、第１メモリ８ａに記憶されたプログラムを読み出して実行することにより、各機能を実現する。第１メモリ８ａは、例えば、ＲＡＭ、ＲＯＭ、フラッシュメモリ、ＥＰＲＯＭ、ＥＥＰＲＯＭ等の不揮発性または揮発性の半導体メモリ、磁気ディスク、フレキシブルディスク、光ディスク、コンパクトディスク、ミニディスク、ＤＶＤ等で構成される。
【００２３】
なお、ローカルコントローラ３の各機能について、一部を専用のハードウェアで実現し、一部をソフトウェアまたはファームウェアで実現するようにしてもよい。
【００２４】
このように、第１処理回路６ａは、ハードウェア、ソフトウェア、ファームウェア、またはこれらの組み合わせによって、各機能を実現する。
【００２５】
センタ装置４（図２においては図示せず）の各機能は、第２処理回路６ｂにより実現される。第２処理回路６ｂは、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００２６】
第２処理回路６ｂが専用のハードウェアである場合、第２処理回路６ｂは、例えば、単一回路、複合回路、プログラム化したプロセッサ、並列プログラム化したプロセッサ、ＡＳＩＣ、ＦＰＧＡ、またはこれらを組み合わせたもので構成される。センタ装置４の各機能それぞれを第２処理回路６ｂで実現してもよいし、センタ装置４の各機能をまとめて第２処理回路６ｂで実現してもよい。
【００２７】
第２処理回路６ｂが第２プロセッサ７ｂの場合、センタ装置４の各機能は、ソフトウェア、ファームウェア、またはソフトウェアとファームウェアとの組み合わせにより実現される。ソフトウェアおよびファームウェアはプログラムとして記述された状態で第２メモリ８ｂに格納される。第２プロセッサ７ｂは、第２メモリ８ｂに記憶されたプログラムを読み出して実行することにより、各機能を実現する。第２メモリ８ｂは、例えば、ＲＡＭ、ＲＯＭ、フラッシュメモリ、ＥＰＲＯＭ、ＥＥＰＲＯＭ等の不揮発性または揮発性の半導体メモリ、磁気ディスク、フレキシブルディスク、光ディスク、コンパクトディスク、ミニディスク、ＤＶＤ等で構成される。
【００２８】
なお、センタ装置４の各機能について、一部を専用のハードウェアで実現し、一部をソフトウェアまたはファームウェアで実現するようにしてもよい。
【００２９】
このように、第２処理回路６ｂは、ハードウェア、ソフトウェア、ファームウェア、またはこれらの組み合わせによって、各機能を実現する。
【００３０】
識別情報管理装置５（図２においては図示せず）の各機能は、第３処理回路６ｃにより実現される。第３処理回路６ｃは、専用のハードウェアであっても、メモリに格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰともいう）であってもよい。
【００３１】
第３処理回路６ｃが専用のハードウェアである場合、第３処理回路６ｃは、例えば、単一回路、複合回路、プログラム化したプロセッサ、並列プログラム化したプロセッサ、ＡＳＩＣ、ＦＰＧＡ、またはこれらを組み合わせたもので構成される。識別情報管理装置５の各機能それぞれを第３処理回路６ｃで実現してもよいし、識別情報管理装置５の各機能をまとめて第３処理回路６ｃで実現してもよい。
【００３２】
第３処理回路６ｃが第３プロセッサ７ｃの場合、識別情報管理装置５の各機能は、ソフトウェア、ファームウェア、またはソフトウェアとファームウェアとの組み合わせにより実現される。ソフトウェアおよびファームウェアはプログラムとして記述された状態で第３メモリ８ｃに格納される。第３プロセッサ７ｃは、第３メモリ８ｃに記憶されたプログラムを読み出して実行することにより、各機能を実現する。第３メモリ８ｃは、例えば、ＲＡＭ、ＲＯＭ、フラッシュメモリ、ＥＰＲＯＭ、ＥＥＰＲＯＭ等の不揮発性または揮発性の半導体メモリ、磁気ディスク、フレキシブルディスク、光ディスク、コンパクトディスク、ミニディスク、ＤＶＤ等で構成される。
【００３３】
なお、識別情報管理装置５の各機能について、一部を専用のハードウェアで実現し、一部をソフトウェアまたはファームウェアで実現するようにしてもよい。
【００３４】
このように、第３処理回路６ｃは、ハードウェア、ソフトウェア、ファームウェア、またはこれらの組み合わせによって、各機能を実現する。
【００３５】
次に、図３を用いて、入退室管理の具体例を説明する。
図３はこの発明の実施の形態１における入退室管理システムが適用された入退室管理の具体例を説明するための図である。
【００３６】
図３において、入退室の管理領域は、第１領域と第２領域と第３領域とに区切られる。図示しない第１出入口は、第１領域において第２領域の側とは反対側に設けられる。第１出入口は、管理領域の通用口となる。図示しない第２出入口は、第１領域と第２領域との間に設けられる。図示しない第３出入口は、第２領域と第３領域との間に設けられる。
【００３７】
第１扉１ａは、第１出入口に設けられる。第２扉１ｂは、第２出入口に設けられる。第３扉１ｃは、第３出入口に設けられる。図示しない第１電子錠は、第１扉１ａに設けられる。図示しない第２電子錠は、第２扉１ｂに設けられる。図示しない第３電子錠は、第３扉１ｃに設けられる。
【００３８】
第１入室用読取装置２ａは、第１出入口の第１領域の側とは反対側に設けられる。第２入室用読取装置２ｂは、第２出入口の第１領域の側に設けられる。第３入室用読取装置２ｃは、第３出入口の第２領域の側に設けられる。
【００３９】
第１退室用読取装置２ｄは、第１出入口の第１領域の側に設けられる。第２退室用読取装置２ｅは、第２出入口の第２領域の側に設けられる。第３退室用読取装置２ｆは、第３出入口の第３領域の側に設けられる。
【００４０】
第１ローカルコントローラ３ａは、第１入室用読取装置２ａと第１退室用読取装置２ｄとに対応する。第２ローカルコントローラ３ｂは、第２入室用読取装置２ｂと第２退室用読取装置２ｅとに対応する。第３ローカルコントローラ３ｃは、第３入室用読取装置２ｃと第３退室用読取装置２ｆとに対応する。
【００４１】
センタ装置４は、１００００人分の識別情報と通行経路情報とを対応付けて記憶する。センタ装置４は、１００００人分の識別情報と通行経路情報とを対応付けて識別情報管理装置５に記憶させる。例えば、利用者Ａの通行経路情報は、第１出入口の外側から第１領域と第２領域とを通過して第３領域に進んだ後に第３領域から第２領域と第１領域とを通過して第１出入口の外側に戻る経路に対応した情報からなる。
【００４２】
識別情報管理装置５は、１００００人分の識別情報を第１ローカルコントローラ３ａのみに記憶させる。この際、第１ローカルコントローラ３ａは、１００００人分の識別情報を記憶する。第２ローカルコントローラ３ｂは、識別情報を記憶しない。第３ローカルコントローラ３ｃは、識別情報を記憶しない。その結果、利用者Ａは、第１出入口のみを通行し得る。
【００４３】
利用者Ａが第１出入口の外側から第１入室用読取装置２ａに対して入室操作を実施すると、第１入室用読取装置２ａは、利用者Ａに対応した識別情報を読み取る。例えば、第１入室用読取装置２ａがカードリーダの場合は、利用者Ａが当該カードリーダにカードかざすことにより入室操作が実施される。例えば、第１入室用読取装置２ａが生体認証装置の場合は、利用者Ａが当該生体認証装置に指紋等の生体認証情報を読み取らせることにより入室操作が実施される。この際、第１ローカルコントローラ３ａは、センタ装置４と識別情報管理装置５とに当該識別情報と第１領域への入室に関する情報とを送信する。
【００４４】
識別情報管理装置５は、当該識別情報に対応した通行経路情報において次の出入口となる第２出入口に設けられた第２入室用読取装置２ｂに対応した第２ローカルコントローラ３ｂに当該識別情報を記憶させる。この際、第１ローカルコントローラ３ａは、当該識別情報を含む１００００人分の識別情報の記憶を維持する。第２ローカルコントローラ３ｂは、当該識別情報を記憶する。第３ローカルコントローラ３ｃは、当該識別情報を記憶しない。その結果、利用者Ａは、第１出入口と第２出入口とを通行し得る。
【００４５】
利用者Ａが第１領域の第２出入口の側から第２入室用読取装置２ｂに対して入室操作を実施すると、第２入室用読取装置２ｂは、利用者Ａに対応した識別情報を読み取る。例えば、第２入室用読取装置２ｂがカードリーダの場合は、利用者Ａが当該カードリーダにカードかざすことにより入室操作が実施される。例えば、第２入室用読取装置２ｂが生体認証装置の場合は、利用者Ａが当該生体認証装置に指紋等の生体認証情報を読み取らせることにより入室操作が実施される。この際、第２ローカルコントローラ３ｂは、センタ装置４と識別情報管理装置５とに当該識別情報と第２領域への入室に関する情報を送信する。
【００４６】
識別情報管理装置５は、当該識別情報に対応した通行経路情報において次の出入口となる第３出入口に設けられた第３入室用読取装置２ｃに対応した第３ローカルコントローラ３ｃに当該識別情報を記憶させる。識別情報管理装置５は、当該識別情報に対応した通行経路情報において直前の出入口となる第１出入口に設けられた第１入室用読取装置２ａに対応した第１ローカルコントローラ３ａに当該識別情報を削除させる。この際、第１ローカルコントローラ３ａは、当該識別情報を含まない９９９９人分の識別情報を記憶する。第２ローカルコントローラ３ｂは、当該識別情報の記憶を維持する。第３ローカルコントローラ３ｃは、当該識別情報を記憶する。その結果、利用者Ａは、第２出入口と第３出入口とを通行し得る。
【００４７】
利用者Ａが第２領域の第３出入口の側から第３入室用読取装置２ｃに対して入室操作を実施すると、第３入室用読取装置２ｃは、利用者Ａに対応した識別情報を読み取る。例えば、第３入室用読取装置２ｃがカードリーダの場合は、利用者Ａが当該カードリーダにカードかざすことにより入室操作が実施される。例えば、第３入室用読取装置２ｃが生体認証装置の場合は、利用者Ａが当該生体認証装置に指紋等の生体認証情報を読み取らせることにより入室操作が実施される。この際、第３ローカルコントローラ３ｃは、センタ装置４と識別情報管理装置５とに当該識別情報と第３領域への入室に関する情報を送信する。
【００４８】
識別情報管理装置５は、当該識別情報に対応した通行経路情報において直前の出入口となる第２出入口に設けられた第２入室用読取装置２ｂに対応した第２ローカルコントローラ３ｂに当該識別情報を削除させる。この際、第１ローカルコントローラ３ａは、当該識別情報を含まない９９９９人分の識別情報の記憶を維持する。第２ローカルコントローラ３ｂは、当該識別情報を記憶しない。第３ローカルコントローラ３ｃは、当該識別情報の記憶を維持する。その結果、利用者Ａは、第３出入口のみを通行し得る。
【００４９】
利用者Ａが第３領域の第３出入口の側から第３退室用読取装置２ｆに対して退室操作を実施すると、第３退室用読取装置２ｆは、利用者Ａに対応した識別情報を読み取る。例えば、第３退室用読取装置２ｆがカードリーダの場合は、利用者Ａが当該カードリーダにカードかざすことにより退室操作が実施される。例えば、第３退室用読取装置２ｆが生体認証装置の場合は、利用者Ａが当該生体認証装置に指紋等の生体認証情報を読み取らせることにより退室操作が実施される。この際、第３ローカルコントローラ３ｃは、センタ装置４と識別情報管理装置５とに当該識別情報と第３領域からの退室に関する情報を送信する。
【００５０】
識別情報管理装置５は、当該識別情報に対応した通行経路情報において次の出入口となる第２出入口に設けられた第２退室用読取装置２ｅに対応した第２ローカルコントローラ３ｂに当該識別情報を記憶させる。この際、第１ローカルコントローラ３ａは、当該識別情報を含まない９９９９人分の識別情報の記憶を維持する。第２ローカルコントローラ３ｂは、当該識別情報を記憶する。第３ローカルコントローラ３ｃは、当該識別情報の記憶を維持する。その結果、利用者Ａは、第２出入口と第３出入口とを通行し得る。
【００５１】
利用者Ａが第２領域の第２出入口の側から第２退室用読取装置２ｅに対して退室操作を実施すると、第２退室用読取装置２ｅは、利用者Ａに対応した識別情報を読み取る。例えば、第２退室用読取装置２ｅがカードリーダの場合は、利用者Ａが当該カードリーダにカードかざすことにより退室操作が実施される。例えば、第２退室用読取装置２ｅが生体認証装置の場合は、利用者Ａが当該生体認証装置に指紋等の生体認証情報を読み取らせることにより退室操作が実施される。この際、第２ローカルコントローラ３ｂは、センタ装置４と識別情報管理装置５とに当該識別情報と第２領域からの退室に関する情報を送信する。
【００５２】
識別情報管理装置５は、当該識別情報に対応した通行経路情報において次の出入口となる第１出入口に設けられた第１退室用読取装置２ｄに対応した第１ローカルコントローラ３ａに当該識別情報を記憶させる。識別情報管理装置５は、当該識別情報に対応した通行経路情報において直前の出入口となる第３出入口に設けられた第３退室用読取装置２ｆに対応した第３ローカルコントローラ３ｃに当該識別情報を削除させる。この際、第１ローカルコントローラ３ａは、当該識別情報を含む１００００人分の識別情報を記憶する。第２ローカルコントローラ３ｂは、当該識別情報の記憶を維持する。第３ローカルコントローラ３ｃは、当該識別情報を記憶しない。その結果、利用者Ａは、第１出入口と第２出入口とを通行し得る。
【００５３】
利用者Ａが第１領域の第１出入口の側から第１退室用読取装置２ｄに対して退室操作を実施すると、第１退室用読取装置２ｄは、利用者Ａに対応した識別情報を読み取る。例えば、第１退室用読取装置２ｄがカードリーダの場合は、利用者Ａが当該カードリーダにカードかざすことにより退室操作が実施される。例えば、第１退室用読取装置２ｄが生体認証装置の場合は、利用者Ａが当該生体認証装置に指紋等の生体認証情報を読み取らせることにより退室操作が実施される。この際、第１ローカルコントローラ３ａは、センタ装置４と識別情報管理装置５とに当該識別情報と第１領域からの退室に関する情報を送信する。
【００５４】
識別情報管理装置５は、当該識別情報に対応した通行経路情報において直前の出入口となる第２出入口に設けられた第２退室用読取装置２ｅに対応した第２ローカルコントローラ３ｂに当該識別情報を削除させる。この際、第１ローカルコントローラ３ａは、当該識別情報を含む１００００人分の識別情報の記憶を維持する。第２ローカルコントローラ３ｂは、当該識別情報を記憶しない。第３ローカルコントローラ３ｃは、当該識別情報を記憶しない。その結果、利用者Ａは、第１出入口のみを通行し得る。
【００５５】
なお、入室操作または退室操作ができない状況になった場合、ローカルコントローラ３は、センタ装置４に不正操作警報を通知する。例えば、第２入室用読取装置２ｂでの入室操作の後に第１退室用読取装置２ｄでの退室操作をせずに入退室の管理領域から離れた場合、次の操作として第１入室用読取装置２ａでの入室操作がなされると、不正操作警報が通知される。例えば、第２入室用読取装置２ｂでの入室操作の直後に第１退室用読取装置２ｄでの退室操作がなされると、不正操作警報が通知される。
【００５６】
この場合、センタ装置４に対する手入力により、当該不正操作警報に基づいて指定される扉１に対応した復旧操作が実施される。この際、センタ装置４は、識別情報管理装置５に復旧指示を行う。識別情報管理装置５は、当該識別情報に対応した通行経路情報に基づいてローカルコントローラ３に当該識別情報の記憶または削除を行わせる。
【００５７】
次に、図４を用いて、識別情報管理装置５の動作を説明する。
図４はこの発明の実施の形態１における入退室管理システムの識別情報管理装置の動作を説明するためのフローチャートである。
【００５８】
ステップＳ１では、識別情報管理装置５は、複数の識別情報と通行経路情報とを対応付けて記憶する。その後、ステップＳ２に進む。ステップＳ２では、識別情報管理装置５は、ローカルコントローラ３から入室または退室に関する情報が送信されたか否かを判定する。
【００５９】
ステップＳ２でローカルコントローラ３から入室または退室に関する情報が送信されていない場合は、ステップＳ２が繰り返される。ステップＳ２でローカルコントローラ３から入室または退室に関する情報が送信された場合は、ステップＳ３に進む。
【００６０】
ステップＳ３では、識別情報管理装置５は、入室または退室に関する情報と識別情報と通行経路情報とを解析することにより当該識別情報の記憶または削除を行わせるローカルコントローラ３を選定する。その後、ステップＳ４に進む。
【００６１】
ステップＳ４では、識別情報管理装置５は、当該識別情報を記憶させるローカルコントローラ３が存在するか否かを判定する。
【００６２】
ステップＳ４で当該識別情報を記憶させるローカルコントローラ３が存在する場合は、ステップＳ５に進む。ステップＳ５では、識別情報管理装置５は、当該識別情報を記憶させるローカルコントローラ３の全てに当該識別情報の記憶を通知する。その後、ステップＳ６に進む。ステップＳ４で当該識別情報を記憶させるローカルコントローラ３が存在しない場合は、ステップＳ５を経由せずにステップＳ６に進む。
【００６３】
ステップＳ６では、識別情報管理装置５は、当該識別情報を削除させるローカルコントローラ３が存在するか否かを判定する。
【００６４】
ステップＳ６で当該識別情報を削除させるローカルコントローラ３が存在する場合は、ステップＳ７に進む。ステップＳ７では、識別情報管理装置５は、当該識別情報を削除させるローカルコントローラ３の全てに当該識別情報の削除を通知する。その後、ステップＳ２に戻る。ステップＳ６で当該識別情報を削除させるローカルコントローラ３が存在しない場合は、ステップＳ７を経由せずにステップＳ２に戻る。
【００６５】
以上で説明した実施の形態１によれば、識別情報管理装置５は、当該識別情報に対応した通行経路情報において当該読取装置２に対応した出入口の直後の出入口に対応した読取装置２に対応したローカルコントローラ３に当該識別情報を記憶させる。このため、ローカルコントローラ３は、利用者が通行する可能性があるタイミングで必要な識別情報を記憶する。このため、ローカルコントローラ３において記憶すべき識別情報の量を減らすことができる。その結果、ローカルコントローラ３を構成するハードウェアのデータの格納容量を小さくすることができる。この際、古いローカルコントローラ３を流用することもできる。さらに、識別情報をダウンロードする際にかかる時間を短縮することができる。
【００６６】
また、識別情報管理装置５は、当該識別情報に対応した通行経路情報において当該読取装置２に対応した出入口の直前の出入口に対応した読取装置２に対応したローカルコントローラ３に当該識別情報を削除させる。ローカルコントローラ３は、利用者が通行する可能性がなくなったタイミングで識別情報を削除する。このため、記憶すべき識別情報の量を確実に減らすことができる。
【００６７】
具体的には、識別情報管理装置５は、通行経路情報に基づいて第１ローカルコントローラ３ａと第２ローカルコントローラ３ｂと第３ローカルコントローラ３ｃとによる識別情報の記憶および削除を制御する。このため、第１ローカルコントローラ３ａと第２ローカルコントローラ３ｂと第３ローカルコントローラ３ｃとは、必要時のみ識別情報を記憶する。このため、記憶すべき識別情報の量をより確実に減らすことができる。
【００６８】
その結果、利用者が第１出入口を通過しないと第２出入口での操作を行うことができない等のアンチパスバック動作と動等の動作を行うことができる。さらに、入室操作または退室操作を行った出入口において１つ前の入室操作または退室操作を行った出入口が指定された出入口か否かを判定するルートチェック動作と同等の動作を行うことができる。
【００６９】
なお、識別情報管理装置５と同等の動作をセンタ装置４で行ってもよい。この場合も、ローカルコントローラ３において記憶すべき識別情報の量を減らすことができる。
【００７０】
また、扉１の代わりにセキュリティゲートを用いてもよい。この場合も、ローカルコントローラ３において記憶すべき識別情報の量を減らすことができる。
【符号の説明】
【００７１】
１  扉、  １ａ  第１扉、  １ｂ  第２扉、  １ｃ  第３扉、  ２  読取装置、  ２ａ  第１入室用読取装置、  ２ｂ  第２入室用読取装置、  ２ｃ  第３入室用読取装置、  ２ｄ  第１退室用読取装置、  ２ｅ  第２退室用読取装置、  ２ｆ  第３退室用読取装置、  ３  ローカルコントローラ、  ３ａ  第１ローカルコントローラ、  ３ｂ  第２ローカルコントローラ、  ３ｃ  第３ローカルコントローラ、  ４  センタ装置、  ５  識別情報管理装置、  ６ａ  第１処理回路、  ６ｂ  第２処理回路、  ６ｃ  第３処理回路、  ７ａ  第１プロセッサ、  ７ｂ  第２プロセッサ、  ７ｃ  第３プロセッサ、  ８ａ  第１メモリ、  ８ｂ  第２メモリ、  ８ｃ  第３メモリ
【図１】
2017004189.tif 000003
【図２】
2017004189.tif 000004
【図３】
2017004189.tif 000005
【図４】
2017004189.tif 000006